(57)【要約】【課題】会社員への保険の加入を促進することができる保険加入支援システム。【解決手段】閲覧者端末から一覧閲覧を要求すると（ＳＶ１）、データベースに登録された社名一覧データを含む初期画面データが返信され（ＳＳ１）、初期画面が表示される。閲覧者は初期画面に勤務する社名が無い場合に勤務先の登録希望を支援サーバに送信すると（ＳＶ２）、入力フォームデータが返信されるので（ＳＳ２）、入力フォームに必要事項を入力して返信する（ＳＶ３）。支援サーバは、この入力データをデータベースに登録すし（ＳＳ３）、この登録後に支援サーバにアクセスすると、初期画面に勤務先が表示されるので、これを選択すると、この会社に関連付けされた保険会社データや情報データがデータベースから抽出され送られてくる。【選択図】図２
2008123143.tif 000002
【特許請求の範囲】
【請求項１】
閲覧者が利用する閲覧者端末とデータベースを備えた支援サーバとがネットワークを介して通信可能に接続されて構成され、登録済みの会社を示す会社データと、前記会社に関連付けられた保険会社を示す保険会社データと、各保険会社に関連付けられた保険会社情報を示す情報データとが前記データベースに記憶された保険加入支援システムであって、
前記閲覧者端末は、
前記支援サーバに一覧の閲覧を要求する一覧閲覧要求手段と、
前記支援サーバからの社名一覧データを受信した際に、該社名一覧データが示す社名一覧を表示する社名一覧表示手段と、
前記社名一覧表示手段で表示された前記社名一覧に当該閲覧者端末を利用する閲覧者が勤務する社名が無い場合に当該閲覧者の勤務先の登録を前記支援サーバに要求する登録要求手段と、
前記社名一覧表示手段で表示された前記社名一覧に当該閲覧者端末を利用する閲覧者が勤務する社名が存在し該社名を選択した際に、当該社名を選択した旨を示す選択データを前記支援サーバに送信する選択データ送信手段と、
前記支援サーバからの名称情報一覧データを受信した際に、該名称一覧データが示す保険会社の名称を当該保険会社に関連付けられた保険会社情報と共に表示する名称情報表示手段とを備え、
前記支援サーバは、
前記閲覧者端末から一覧の閲覧要求を受けた際に、前記データベースに記憶された前記会社データが示す会社の社名一覧を社名一覧データとして閲覧要求した前記閲覧者端末へ送信する社名一覧データ送信手段と、
前記閲覧者端末から該閲覧者端末を利用する閲覧者が勤務する勤務先の登録要求を受けた際に、該勤務先を会社データとして前記データベースに記憶する会社データ記憶手段と、
前記閲覧者端末から選択データを受信した際に、該選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に送信する名称情報一覧データ送信手段とを備えた
ことを特徴とする保険加入支援システム。
【請求項２】
前記情報データは、前記会社に関連付けられた前記保険会社の保険に加入した際に得られる団体割引等の特典情報を含み、
前記閲覧者端末は、前記名称情報表示手段において前記保険会社に関連付けられた保険会社情報を表示する際に前記特典情報も表示することを特徴とした請求項１記載の保険加入支援システム。
【請求項３】
閲覧者が利用する閲覧者端末とネットワークを介して通信可能に接続されるとともに、登録済みの会社を示す会社データと、前記会社に関連付けられた保険会社を示す保険会社データと、各保険会社に関連付けられた保険会社情報を示す情報データとを記憶するデータベースを備えた支援サーバであって、
前記閲覧者端末から一覧の閲覧要求を受けた際に、前記データベースに記憶された前記会社データが示す会社の社名一覧を社名一覧データとして閲覧要求した前記閲覧者端末へ表示可能な形態で送信する社名一覧データ送信手段と、
前記閲覧者端末で表示された前記社名一覧に当該閲覧者端末を利用する閲覧者が勤務する社名が無い場合に当該閲覧者の勤務先を登録する旨の登録要求を当該閲覧者端末から受けた際に、この勤務先を会社データとして前記データベースに記憶する会社データ記憶手段と、
前記閲覧者端末で表示された前記社名一覧に当該閲覧者端末を利用する閲覧者が勤務する社名が存在し該社名を選択した旨の選択データを当該閲覧者端末から受信した際に、前記選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に表示可能な形態で送信する名称情報一覧データ送信手段と、
を備えたことを特徴とする支援サーバ。
【請求項４】
前記情報データは、前記会社に関連付けられた前記保険会社の保険に加入した際に得られる団体割引等の特典情報を含み、
前記名称情報一覧データ送信手段は、前記名称情報一覧データを前記閲覧者端末へ送信する際に前記特典情報も表示可能な形態で送信することを特徴とした請求項３記載の支援サーバ。
【請求項５】
閲覧者が利用する閲覧者端末とネットワークを介して通信可能に接続されるとともに、登録済みの会社を示す会社データと、前記会社に関連付けられた保険会社を示す保険会社データと、各保険会社に関連付けられた保険会社情報を示す情報データとを記憶するデータベースを備えたサーバにおいて、
前記閲覧者端末から一覧の閲覧要求を受けた際に、前記データベースに記憶された前記会社データが示す会社の社名一覧を社名一覧データとして閲覧要求した前記閲覧者端末へ表示可能な形態で送信する社名一覧データ送信段階と、
前記閲覧者端末で表示された前記社名一覧に当該閲覧者端末を利用する閲覧者が勤務する社名が無い場合に当該閲覧者の勤務先を登録する旨の登録要求を当該閲覧者端末から受けた際に、この勤務先を会社データとして前記データベースに記憶する会社データ記憶段階と、
前記閲覧者端末で表示された前記社名一覧に当該閲覧者端末を利用する閲覧者が勤務する社名が存在し該社名を選択した旨の選択データを当該閲覧者端末から受信した際に、前記選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に表示可能な形態で送信する名称情報一覧データ送信段階と、
を備えたことを特徴とする保険加入支援方法。
【請求項６】
前記情報データは、前記会社に関連付けられた前記保険会社の保険に加入した際に得られる団体割引等の特典情報を含み、
前記名称情報一覧データ送信段階は、前記名称情報一覧データを前記閲覧者端末へ送信する際に前記特典情報も表示可能な形態で送信することを特徴とした請求項５記載の保険加入支援方法。
【発明の詳細な説明】
【技術分野】
【０００１】
本発明は、保険の加入を促進する保険加入支援システムに関する。
【背景技術】
【０００２】
従来、保険のセールスを行う際には、会社に訪問するとともに顧客と対面して加入を促進していた。
【発明の開示】
【発明が解決しようとする課題】
【０００３】
しかしながら、近年においては、セキュリティ上、社内への立ち入りが禁止されることが多く、顧客に対面して保険を勧誘することが困難となるつつある。
【０００４】
一方、会社の従業員においては、保険の団体割引等の会社を前提としたメリットを受けることができなくなるという問題も生じ得る。
【０００５】
本発明は、このような従来の課題に鑑みてなされたものであり、会社員への保険の加入を促進することができる保険加入支援システムを提供することを目的とするものである。
【課題を解決するための手段】
【０００６】
前記課題を解決するために本発明の請求項１の保険加入支援システムにおいては、閲覧者が利用する閲覧者端末とデータベースを備えた支援サーバとがネットワークを介して通信可能に接続されて構成され、登録済みの会社を示す会社データと、前記会社に関連付けられた保険会社を示す保険会社データと、各保険会社に関連付けられた保険会社情報を示す情報データとが前記データベースに記憶された保険加入支援システムであって、前記閲覧者端末は、前記支援サーバに一覧の閲覧を要求する一覧閲覧要求手段と、前記支援サーバからの社名一覧データを受信した際に、該社名一覧データが示す社名一覧を表示する社名一覧表示手段と、前記社名一覧表示手段で表示された前記社名一覧に当該閲覧者端末を利用する閲覧者が勤務する社名が無い場合に当該閲覧者の勤務先の登録を前記支援サーバに要求する登録要求手段と、前記社名一覧表示手段で表示された前記社名一覧に当該閲覧者端末を利用する閲覧者が勤務する社名が存在し該社名を選択した際に、当該社名を選択した旨を示す選択データを前記支援サーバに送信する選択データ送信手段と、前記支援サーバからの名称情報一覧データを受信した際に、該名称一覧データが示す保険会社の名称を当該保険会社に関連付けられた保険会社情報と共に表示する名称情報表示手段とを備え、前記支援サーバは、前記閲覧者端末から一覧の閲覧要求を受けた際に、前記データベースに記憶された前記会社データが示す会社の社名一覧を社名一覧データとして閲覧要求した前記閲覧者端末へ送信する社名一覧データ送信手段と、前記閲覧者端末から該閲覧者端末を利用する閲覧者が勤務する勤務先の登録要求を受けた際に、該勤務先を会社データとして前記データベースに記憶する会社データ記憶手段と、前記閲覧者端末から選択データを受信した際に、該選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に送信する名称情報一覧データ送信手段とを備えている。
【０００７】
すなわち、保険を加入する際には、閲覧者は閲覧者端末を利用して前記支援サーバに一覧の閲覧を要求すると、この閲覧要求を受けた支援サーバでは、前記データベースに記憶された前記会社データが示す会社の社名一覧を社名一覧データとして閲覧要求した前記閲覧者端末へ送信する。すると、この社名一覧データを受信した閲覧者端末には、前記社名一覧データが示す社名一覧が表示される。
【０００８】
この社名一覧を見た閲覧者は、勤務する社名が無い場合に勤務先の登録を前記支援サーバに要求する。すると、前記閲覧者端末から勤務先の登録要求を受けた支援サーバでは、該勤務先を会社データとして前記データベースに記憶する。
【０００９】
一方、例えば前記勤務先の前記データベースへの登録が完了する等することによって、前記閲覧者端末に表示された前記社名一覧に、当該閲覧者端末を利用する閲覧者が勤務する社名が存在する場合には、この社名を選択する等して当該社名を選択した旨を示す選択データを前記支援サーバに送信する。
【００１０】
この選択データを受信し前記支援サーバでは、前記選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記閲覧者端末に送信する。
【００１１】
これにより、この名称情報一覧データを受信した閲覧者端末では、前記名称一覧データが示す保険会社の名称が当該保険会社に関連付けられた保険会社情報と共に表示される。
【００１２】
このとき、前記閲覧者端末には、当該閲覧者端末を利用する閲覧者の勤務先に関連付けされた保険会社の名称と、対応する保険会社関連付けられた保険会社情報が表示される。このため、前記閲覧者は、この保険会社情報に基づいて加入する保険を選択したり、加入手続きを開始することができる。
【００１３】
また、請求項２の保険加入支援システムにあっては、前記情報データは、前記会社に関連付けられた前記保険会社の保険に加入した際に得られる団体割引等の特典情報を含み、前記閲覧者端末は、前記名称情報表示手段において前記保険会社に関連付けられた保険会社情報を表示する際に前記特典情報も表示する。
【００１４】
すなわち、前記情報データには、前記会社に関連付けられた前記保険会社の保険に加入した際に得られる団体割引等の特典情報が含まれており、前記閲覧者端末では、前記保険会社に関連付けられた保険会社情報を表示する際に前記特典情報も表示される。
【００１５】
このため、加入する保険を選択する際に、前記特典情報を参考にすることができる。
【００１６】
また、本発明の請求項３の支援サーバにおいては、閲覧者が利用する閲覧者端末とネットワークを介して通信可能に接続されるとともに、登録済みの会社を示す会社データと、前記会社に関連付けられた保険会社を示す保険会社データと、各保険会社に関連付けられた保険会社情報を示す情報データとを記憶するデータベースを備えた支援サーバであって、前記閲覧者端末から一覧の閲覧要求を受けた際に、前記データベースに記憶された前記会社データが示す会社の社名一覧を社名一覧データとして閲覧要求した前記閲覧者端末へ表示可能な形態で送信する社名一覧データ送信手段と、前記閲覧者端末で表示された前記社名一覧に当該閲覧者端末を利用する閲覧者が勤務する社名が無い場合に当該閲覧者の勤務先を登録する旨の登録要求を当該閲覧者端末から受けた際に、この勤務先を会社データとして前記データベースに記憶する会社データ記憶手段と、前記閲覧者端末で表示された前記社名一覧に当該閲覧者端末を利用する閲覧者が勤務する社名が存在し該社名を選択した旨の選択データを当該閲覧者端末から受信した際に、前記選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に表示可能な形態で送信する名称情報一覧データ送信手段と、を備えている。
【００１７】
また、請求項４の支援サーバにあっては、前記情報データは、前記会社に関連付けられた前記保険会社の保険に加入した際に得られる団体割引等の特典情報を含み、前記名称情報一覧データ送信手段は、前記名称情報一覧データを前記閲覧者端末へ送信する際に前記特典情報も表示可能な形態で送信する。
【００１８】
これにより、この支援サーバに、前記閲覧者端末を接続して所定の操作を行うことによって、前述と同様の作用効果を奏する。
【００１９】
また、本発明の請求項５の保険加入支援方法においては、閲覧者が利用する閲覧者端末とネットワークを介して通信可能に接続されるとともに、登録済みの会社を示す会社データと、前記会社に関連付けられた保険会社を示す保険会社データと、各保険会社に関連付けられた保険会社情報を示す情報データとを記憶するデータベースを備えたサーバにおいて、前記閲覧者端末から一覧の閲覧要求を受けた際に、前記データベースに記憶された前記会社データが示す会社の社名一覧を社名一覧データとして閲覧要求した前記閲覧者端末へ表示可能な形態で送信する社名一覧データ送信段階と、前記閲覧者端末で表示された前記社名一覧に当該閲覧者端末を利用する閲覧者が勤務する社名が無い場合に当該閲覧者の勤務先を登録する旨の登録要求を当該閲覧者端末から受けた際に、この勤務先を会社データとして前記データベースに記憶する会社データ記憶段階と、前記閲覧者端末で表示された前記社名一覧に当該閲覧者端末を利用する閲覧者が勤務する社名が存在し該社名を選択した旨の選択データを当該閲覧者端末から受信した際に、前記選択データが示す社名の会社に関連付けられた保険会社を示す保険会社データ及び前記保険会社に関連付けられた保険会社情報を示す情報データを前記データベースから抽出するとともに、前記保険会社データが示す保険会社の名称及び該保険会社に関連付けられた保険会社情報を名称情報一覧データとして前記選択データを送信した前記閲覧者端末に表示可能な形態で送信する名称情報一覧データ送信段階と、を備えている。
【００２０】
また、請求項６の保険加入支援方法にあっては、前記情報データは、前記会社に関連付けられた前記保険会社の保険に加入した際に得られる団体割引等の特典情報を含み、前記名称情報一覧データ送信段階は、前記名称情報一覧データを前記閲覧者端末へ送信する際に前記特典情報も表示可能な形態で送信する。
【００２１】
これにより、これらの処理をサーバに実行させることによって、前述と同様の作用効果を得ることが可能となる。したがって、記載された処理をコンピュータなどのハードウエアを用いて実行することにより、これらのハードウエアで本発明に係る保険加入支援技術を容易に実施することができる。
【発明の効果】
【００２２】
以上説明したように本発明にあっては、閲覧者が利用する前記閲覧者端末に、当該閲覧者の勤務先に関連付けされた保険会社の名称と、対応する保険会社関連付けられた保険会社情報を表示することができるため、前記閲覧者は、この保険会社情報に基づいて加入する保険を選択したり、加入手続きを開始することができる。
【００２３】
したがって、会社に訪問すること無く、会社員への保険の加入を促進することができる。
【００２４】
また、前記閲覧者にあっては、勤務先に関連付けされた保険会社を知ることができるため、その保険会社の保険に加入することによって、会社を前提としたメリットを受けることができる。
【００２５】
そして、前記保険会社情報としては、前記会社に関連付けられた前記保険会社の保険に加入した際に得られる団体割引等の特典情報が含まれており、加入する保険を選択する際には、この特典情報を参考にすることができる。
【発明を実施するための最良の形態】
【００２６】
以下、本発明の一実施の形態を図面にしたがって説明する。図１は、本発明の一実施の形態に係る保険加入支援システム１を示すブロック図であり、該保険加入支援システム１は、ネットワークとしてのインターネット２を利用して構築されている。
【００２７】
このインターネット２上には、支援サーバ１１と保険会社が運営する保険サーバ１２とが設けられており、各サーバ１１，１２には、閲覧者が利用する閲覧者端末１３，・・・を前記インターネット２を介して接続できるように構成されている。
【００２８】
前記支援サーバ１１は、データベース２１を備えており、該データベース２１には、プログラムを記憶するためのプログラム記憶領域と、データを記憶するためのデータ記憶領域とが設けられている。
【００２９】
前記データ記憶領域には、予め登録された会社を示す会社データ３１と、各会社に関連付けられた保険会社を示す保険会社データ３２と、各保険会社に関連付けられた保険会社情報を示す情報データ３３とが関連付けられて記憶されている。
【００３０】
前記会社データ３１は、前記会社の会社名や住所や電話番号等で構成されており、前記保険会社データ３２は、例えば関連付けられた会社の社員が既に加入している保険会社の保険会社名や、当該会社の社員が加入した場合に団体割引を受けることができる保険会社の保管会社名等で構成されている。また、前記情報データ３３は、関連付けられた保険会社が団体割引制度を利用できるか否かの特典情報データ３４や、保険会社の電話番号の番号データ３５や、ホームページアドレスや、その他のサービス内容等で構成されている。
【００３１】
また、データ記憶領域には、前記各会社に関連付けられた保険事務所の名称を示す保険事務所データ４１と、各保険事務所が取り扱う保険会社の名称を示す取り扱い保険会社データ４２等が関連付けられて記憶されている。
【００３２】
前記支援サーバ１１は、通信機能を備えており、前記プログラム領域に記憶されたサーバープログラムに従って作動することにより、前記各閲覧者端末１３，・・・と通信するとともに、前記データベース２１に記憶された内容をホームページとして閲覧可能に送信できるように構成されている。
【００３３】
前記各閲覧者端末１３，・・・は、前記インターネット２に接続できる環境を備えたパソコンや携帯電話などの携帯端末によって構成されており、Ｗｅｂブラウザプログラムを作動することによって前記インターネット２を経由して前記支援サーバ１１や前記保険サーバ１２と通信できるように構成されている。
【００３４】
前記保険サーバ１２も、通信機能を備えており、データベースのプログラム領域に記憶されたサーバープログラムに従って作動することにより、前記各閲覧者端末１３，・・・と通信するとともに、前記データベース２１に記憶された内容をホームページとして閲覧可能に送信できるように構成されている。
【００３５】
これにより、各閲覧者端末１３，・・・を閲覧者が利用することで、前記インターネット２を経由して前記支援サーバ１１に接続し、該支援サーバ１１に構築されたホームページ（サイト）にアクセスして、当該ホームページ（サイト）を利用できるように構成されている。また、各閲覧者端末１３，・・・を閲覧者が利用することで、前記インターネット２を経由して前記保険サーバ１２に接続し、該保険サーバ１２に構築されたホームページ（サイト）にアクセスして、当該ホームページ（サイト）を利用できるように構成されている。
【００３６】
以上の構成にかかる本実施の形態の動作を、図２及び図４に示すフローチャート従うとともに図３及び図５に示す図を用いて説明する。
【００３７】
すなわち、保険の加入を希望する閲覧者は、前記閲覧者端末１３を利用して前記支援サーバ１１にアクセスすることによって、該支援サーバ１１に対して一覧の閲覧を要求すると（ＳＶ１）、この閲覧要求を受けた前記支援サーバ１１では、前記データベース２１に記憶された前記会社データ３１を抽出し、該会社データ３１が示す会社名等を一覧にした社名一覧データを作成するとともに、この社名一覧データを含む初期画面のデータを作成して、この初期画面データを閲覧要求した前記閲覧者端末１３へ送信する（ＳＳ１）。
【００３８】
すると、前記社名一覧データを含む前記初期画面データを受信した閲覧者端末１３のモニター等の表示部には、図３に示すように、前記初期画面データが示す初期画面５１が表示される。
【００３９】
この初期画面５１には、地域ごとに分類された前記社名一覧データが示す社名一覧５２が表示されており、この社名一覧５２内には、前記データベース２１に登録された会社の社名５５や、当該会社の住所５６や、電話番号５７が表示される。
【００４０】
この初期画面５１の前記社名一覧５２を見た閲覧者は、勤務先の社名５５が無い場合に当該初期画面５１に表示された登録ボタン６１をマウスでクリックする等して選択すると、当該閲覧者端末１３からは、勤務先の登録を希望する為の登録希望データが前記支援サーバ１１に送信される（ＳＶ２）。
【００４１】
この登録希望データを受信した前記支援サーバ１１では、会社を登録する為の必要事項を記入する為の入力フォームを作成し、この入力フォームデータを登録希望要求した前記閲覧者端末１３へ送信する（ＳＳ２）。すると、この閲覧者端末１３のモニター等の表示部には、前記入力フォームデータが示す入力フォームが表示されるので（図示省略）、閲覧者は、当該閲覧者端末１３に設けられたキーボード等の入力手段を用いて必要事項を入力し、この入力データを前記支援サーバ１１へ送信する（ＳＶ３）。これにより、当該閲覧者端末１３を利用する閲覧者の勤務先を登録する旨の登録要求が前記支援サーバ１１に対して行われる。
【００４２】
前記入力データを受信した前記支援サーバ１１は、この入力データが示す勤務先の社名や居所や電話番号等を会社データ３１として前記データベース２１に登録するとともに、この会社を登録する為の各処理を行う（ＳＳ３）。このとき、前記入力データが示す会社は、前記データベース２１に登録されていないことを前提条件とする。
【００４３】
この登録手続きが完了した際に、保険の加入を希望する前記閲覧者が前記閲覧者端末１３を利用して前記支援サーバ１１にアクセスすることで、該支援サーバ１１に対して一覧の閲覧を要求すると（ＳＶ１１）、この閲覧要求を受けた前記支援サーバ１１では、前記データベース２１に記憶された前記会社データ３１を抽出し、該会社データ３１が示す会社名等を一覧にした社名一覧データを作成するとともに、この社名一覧データを含む初期画面のデータを作成して、この初期画面データを閲覧要求した前記閲覧者端末１３へ送信する（ＳＳ１１）。
【００４４】
すると、前記社名一覧データを含む前記初期画面データを受信した閲覧者端末１３のモニター等の表示部には、図３に示したように、前記初期画面データが示す初期画面５１が表示される。
【００４５】
この初期画面５１には、地域ごとに分類された前記社名一覧データが示す社名一覧５２が含まれており、この社名一覧５２内には、前記データベース２１に登録された会社の社名５５や、当該会社の住所５６や、電話番号５７が表示される。このとき、当該閲覧者端末１３を利用する閲覧者が勤務する会社は、前記データベース２１に登録されており、前記社名一覧５２には、当該閲覧者が勤務先の社名５５が表示される。
【００４６】
このため、この初期画面５１を見た閲覧者は、勤務する社名５５が前記社名一覧５２に表示されているので、この社名５５をマウスでクリックする等して選択すると、当該閲覧者端末１３からは、当該社名５５を選択した旨を示す選択データが前記支援サーバ１１に対して送信される（ＳＶ１２）。このとき、前記閲覧者の勤務する社名５５が前記社名一覧５２に表示されていることを前提条件とする。
【００４７】
この選択データを受信した前記支援サーバ１１では、前記選択データが示す社名の会社の会社名や住所や電話番号等かなる会社データ３１を前記データベース２１から抽出する。
【００４８】
また、前記選択データが示す社名の会社に関連付けられた保険会社を示す保険会社データ３２及び前記保険会社に関連付けられた保険会社情報を示す情報データ３３を前記データベース２１から抽出するとともに、前記保険会社データ３２が示す保険会社の名称及び該保険会社に関連付けられた保険会社情報等を一覧にした名称情報一覧データを作成する。
【００４９】
さらに、前記選択データが示す社名の会社に関連付けられた保険事務所の名称を示す保険事務所データ４１と、各保険事務所が取り扱う保険会社の名称を示す取り扱い保険会社データ４２等を前記データベース２１から抽出するとともに、前記保険事務所データ４１が示す保険事務所の名称及び各保険事務所が取り扱う保険会社の名称等を一覧にした保険事務所一覧データを作成する。
【００５０】
そして、前記会社データ３１及び前記名称情報一覧データ並びに前記保険事務所一覧データを含む専用画面のデータを作成して、この専用画面データを閲覧要求した前記閲覧者端末１３へ送信する（ＳＳ１２）。
【００５１】
この専用画面データを受信した前記閲覧者端末１３のモニター等の表示部には、図５に示したように、前記専用画面データが示す専用画面７１が表示される。
【００５２】
この専用画面７１の上部には、前記会社データ３１が示す会社名８１や住所８２や電話番号８３等が表示される。
【００５３】
また、前記専用画面７１の左側領域には、前記保険会社データ３２が示す保険会社の保険会社名９１，・・・が、当該保険会社に関連付けられた前記情報データ３３が示す保険会社情報と関連付けられて一覧表示される。
【００５４】
この保険会社情報としては、保険会社の電話番号１０１やホームページアドレス等が挙げられ、該ホームページアドレスは、前記保険会社名９１が表示されたリンクボタン１０２のリンク先として記憶される。また、前記保険会社情報としては、当該保険会社が団体割引制度を利用できるか否かを示す特典情報１０５を含み、この特典情報１０５は、前記リンクボタン１０２に「Ｄ」の文字が表示されることによって、団体割引制度を利用することができる旨が示される。
【００５５】
さらに、前記専用画面７１の右側領域には、保険事務所データ４１が示す前記保険事務所の保険事務所名１１１，１１１が表示されており、前記保険データ４２が示す前記各保険事務所の取り扱う保険会社名９１が記された前記各リンクボタン１０２，１０２の下部にも、対応した保険事務所名１１１，１１１が表示される。
【００５６】
このため、当該閲覧者端末１３を利用する前記閲覧者は、表示された前記保険会社情報に基づいて加入する保険を選択したり、加入手続きを開始することできる。
【００５７】
したがって、会社に訪問すること無く、会社員への保険の加入を促進することができる。
【００５８】
すなわち、この専用画面７１から加入する保険会社の保険を探し、例えば○○ダイレクトの「医療保険・ガン保険」に加入する場合には、このリンクボタン１０２をマウスにクリックする等して選択すると、当該閲覧者端末１３からは、このリンクボタン１０２のリンク先として設定されたホームページアドレスの保険サーバ１２へ接続要求データが送信される（ＳＶ１３）。
【００５９】
この接続要求データを受信した保険サーバ１２では、当該保険サーバ１２に構築された「○○ダイレクト」のホームページのホームページデータを接続要求した前記閲覧者端末１３へ送信し、このホームページデータが示す加入用画面を前記閲覧者端末１３のモニターなどの表示部に表示することによって、「医療保険・ガン保険」の加入手続きが開始される（ＳＳ１３）。
【００６０】
このとき、前記専用画面７１は、前記閲覧者が選択した勤務先の会社専用に作成されてたものであり、当該閲覧者端末１３を利用する閲覧者の勤務先に関連付けされた保険会社の保険会社名９１，・・・と、対応する保険会社に関連付けられた保険会社情報等が表示されている。
【００６１】
このため、前記閲覧者にあっては、勤務先に関連付けされた保険会社を知ることができ、その保険会社の保険に加入することによって、会社を前提としたメリットを受けることができる。
【００６２】
すなわち、前記情報データ３３には、前記会社に関連付けられた前記保険会社の保険に加入した際に得られる団体割引等の特典情報１０５が含まれており、前記閲覧者端末１３では、前記保険会社に関連付けられた保険会社情報を表示する際に前記特典情報１０５も付加される。
【００６３】
このため、加入する保険を選択する際に、この特典情報１０５を参考にすることができ、当該特典情報１０５が付加された保険に加入することによって、団体割引等の特典を受けることができる。
【００６４】
これにより、団体割引が適用されるか否かを知る術が無かった一般のホームページから保険会社を選択して保険に加入する場合と比較して、前記閲覧者も利益を得ることができる。
【図面の簡単な説明】
【００６５】
【図１】本発明の一実施の形態を示すブロック図である。
【図２】同実施の形態の動作を示すフローチャートである。
【図３】同実施の形態の閲覧者端末に表示される初期画面を示す図である。
【図４】図２に続くフローチャートである。
【図５】同実施の形態の閲覧者端末に表示される専用画面を示す図である。
【符号の説明】
【００６６】
１    保険加入支援システム
２    インターネット
１１    支援サーバ
１２    保険サーバ
１３    閲覧者端末
２１    データベース
３１    会社データ
３２    保険会社データ
３３    情報データ
３４    特典情報データ
５１    初期画面
５２    社名一覧
５５    社名
６１    登録要求ボタン
７１    専用画面
９１    保険会社名
１０１    電話番号
１０５    特典情報
１１１    保険事務所名
【図１】
2008123143.tif 000003
【図２】
2008123143.tif 000004
【図３】
2008123143.tif 000005
【図４】
2008123143.tif 000006
【図５】
2008123143.tif 000007